(57)【要約】【課題】耐久性に富んで支持荷重と伸縮量が大きく操作性に優れた床束装置を提供すること。【解決手段】底板２１と一体に構成された内ねじ付き固定円筒２０と、該固定円筒の内ねじと螺合する外ねじを有し、内面に内ねじを形成した内ねじ付き伸縮円筒３０と、該伸縮円筒の内ねじと螺合する雄ねじを有する床受け部材付き伸縮ロッド４０を具備し、固定円筒２０の内ねじの回転方向と、伸縮円筒３０の内ねじの回転方向とは、互いに逆ねじ関係にねじ切りされていることによって、伸縮円筒３０を回転することにより、伸縮円筒３０と伸縮ロッド４０を同時に多段式に伸縮させることができるようにしたものである。【特許請求の範囲】
【請求項１】
底板と一体に構成された内ねじ付き固定円筒と、該固定円筒の内ねじと螺合する外ねじを有し、内面に内ねじを形成した内ねじ付き伸縮円筒と、該伸縮円筒の内ねじと螺合する雄ねじを有する床受け部材付き伸縮ロッドを具備することを特徴とする多段伸縮式床束装置。
【請求項２】
固定円筒の内ねじの回転方向と、伸縮円筒の内ねじの回転方向とは、互いに逆ねじ関係にねじ切りされていることを特徴とする請求項１記載の多段伸縮式床束装置。
【請求項３】
伸縮円筒の上部には伸縮円筒を回転調整するための調整環が設けられていることを特徴とする請求項１又は２記載の多段伸縮式床束装置。
【請求項４】
床受け部材付き伸縮ロッドと伸縮円筒には、それぞれ回転ロック部材が螺合されていることを特徴とする請求項１、２又は３記載の多段伸縮式床束装置。
【請求項５】
固定円筒の内ねじ又は伸縮円筒の外ねじのピッチと、伸縮円筒の内ねじ又は床受け部付き伸縮ロッドの雄ねじのピッチとは異なっていることを特徴とする請求項１，２，３又は４記載の多段伸縮式床束装置。
【請求項６】
固定円筒の内ねじ又は伸縮円筒の外ねじのピッチよりも伸縮円筒の内ねじ又は床受け部付き伸縮ロッドの雄ねじのピッチの方が大きいピッチのねじが切られていることを特徴とする請求項１、２、３、４又は５記載の多段伸縮式床束装置。
【発明の詳細な説明】
【０００１】
【発明の属する技術分野】この発明は、操作性と耐久性に富んだ金属製の多段伸縮式床束装置に関するものである。
【０００２】
【従来の技術】一般に使用されている床束は、パイプ式のターンバックルを利用した伸縮式の鋼製束、例えば特開平０８−０２３４９０号公報や、特開２０００−０８５９３号公報等に記載された形式のものが使用されている。
図６は、従来の鋼製床束装置の一例で、床束装置１は筒状のターンバックル胴２の両端部に固定された上下固定ナット３、４に床受け部材５と底板６に固定した上下ボルト７、８を螺入したものである。上下のボルトナットは、互いに逆ねじが切ってあるので、ターンバックル胴２を回転することにより、上下のボルトは互いに反対方向に伸縮し、床下の土台と床桁との間隔を調節することにより床桁の荷重を均等に支持するようになっている。
【０００３】
しかしながら、このような筒状のパイプ式ターンバックル胴を使用した床束装置は、ボルトと底板又は床受け部材とが別部材で構成されており、接続部分に隙間があるため、湿気による結露や床下浸水によって腐食しやすく、固定ナットのねじ部分の長さも限定されるため、ねじ山強度も限度があり、支持荷重があまり大きくとれない。また、調整量も少ないため、床の高さに応じて複数種類の床束装置を用意しなければならない等の欠点を有していた。
【０００４】
【発明が解決しようとする課題】この発明は、前記欠点を解消し、操作性と耐久性に富んだ多段伸縮式床束装置を提供することを目的とするものである。
【０００５】
【課題を解決するための手段】この発明は、底板と一体に構成された内ねじ付き固定円筒と、該固定円筒の内ねじと螺合する外ねじを有し、内面に内ねじを形成した内ねじ付き伸縮円筒と、該伸縮円筒の内ねじと螺合する雄ねじを有する床受け部材付き伸縮ロッドを具備し、固定円筒の内ねじの回転方向と、伸縮円筒の内ねじの回転方向とは、互いに逆ねじ関係にねじ切りされていることによって調整環を回転することにより伸縮円筒と伸縮ロッドを同時に多段式に伸縮させることができるようにしたものである。
【０００６】
また、固定円筒の内ねじ又は伸縮円筒の外ねじのピッチと、伸縮円筒の内ねじ又は床受け部付き伸縮ロッドの雄ねじのピッチとは異なっているので、伸縮筒と伸縮ロッドに掛かる支持荷重を均等化することができると共に、伸縮筒の外ねじのピッチを小さく選ぶことによって筒の内面と外面の両方にねじ山を有する伸縮筒の壁厚の減少を抑え、比較的大きな壁厚保を保持できるのでるので伸縮筒の強度を大きく設計することができる。
【０００７】
【発明の実施の形態】以下、この発明の実施の形態を図面に基づき説明する。なお、同一機能を有する部材や構成部分については同一の符号を用いて、説明を省略する場合がある。図１は、この発明の床束装置の組み立て部分断面図である。１０は床束装置を示している。２０は溶接等で底板と一体に構成された内ねじ付き固定円筒で、３０は該固定円筒の内ねじと螺合する外ねじを有し、内面にねじを形成した内ねじ付き伸縮円筒であって、その上部には伸縮円筒を回転調整するための調整環３１が一体に設けられている。
【０００８】
４０は溶接等で床受け部材４１と一体に構成された伸縮ロッドで、伸縮円筒３０の内ねじと螺合する外ねじである雄ねじ４０を有している。そして、固定円筒２０の内ねじの回転方向と、伸縮円筒３０の内ねじの回転方向とは、互いに逆ねじ関係にねじ切りされているので、床束部材４１と底板２１の回転をロックした状態で伸縮円筒３０の調整環３１を回転することにより、伸縮円筒３０が固定円筒に対して伸縮すると共に伸縮ロッド４０も伸縮円筒に対して伸縮するようになっている。なお、５１、５２は必要に応じて使用される周知のロック部材で５３はスプリングワッシャーである。
【０００９】
以下、更に床束装置の詳細な構造について説明する。図２はこの床束装置の固定円筒２０の部分断面図である。固定円筒２０は底板２１に溶接等によって一体に固定され、周辺から水の侵入を防止する構造となっている。２２はアンカーボルト用の孔である。２３は固定円筒の内側に設けられた内ねじで、後述する伸縮円筒３０の外ねじ３２と螺合するもので、伸縮円筒３０の内ねじに比べて比較的小さなピッチのねじが設けられている。
【００１０】
図３は伸縮円筒３０の部分断面図である。３２は前述した固定筒２０の内ねじ２３と螺合する外ねじで、３３は伸縮ロッド４０の雄ねじ４２と螺合する内ねじである。３１はこの伸縮円筒の上部に一体に設けられた回転調整環で、滑り止めの筋目ローレット３４が切られている。この滑り止めは、必ずしも筋目ローレットでなくても七子目ローレット等の他の形状のローレットでも良い。また、調整環３１の形状は多角形のナット状のものでも、一部を平面としてスパナで締め付ける際の回り止めを形成したものでも良い。
この伸縮円筒３０は、図のように筒の内面と外面の両方にねじを切ってある関係で筒の肉厚が実質的に薄くなり強度が低下する懸念があるが、この伸縮円筒の外ねじのピッチを内ねじに比べて小さくすることにより、肉厚の減少を抑えると共にねじ山自体の強度も充分維持できる効果を有するものである。
【００１１】
図４は伸縮ロッドの外観図で、床受け部材４１に雄ねじ４２を有する伸縮ロッド４０が溶接等で一体に固定されている。この雄ねじ４２は伸縮円筒３０の雌ねじである内ねじ３３に螺合するものである。なお、床受け部材４１には必要に応じて床桁固定用のボルト孔を設けることができる。
【００１２】
図５はこの発明の床束装置の実施状況説明図である。コンクリートの基礎８０にアンカーボルト７０を埋め込んでおいて底板２１のボルト孔によって床束装置の位置を調整してナットを締めて下部を固定し、床受け部材４１を床桁に押しつけ必要に応じてボルトで固定して床束装置の位置を決めてから調整環３１を回転させて束の高さを調節する。調整環３１の回転によって伸縮円筒３０が固定筒２０の内ねじに沿って伸縮すると同時に、伸縮円筒３０の内ねじに沿って伸縮ロッド４０が伸縮する。固定円筒２０の内ねじの回転方向と、伸縮円筒３０の内ねじの回転方向とは、互いに逆ねじ関係にねじ切りされているので、調整環３１によって伸縮円筒３０が伸びると伸縮ロッド４０も伸び、伸縮円筒３０が縮小すると伸縮ロッド４０も縮小する。したがって、その伸縮量はそれぞれのねじのピッチに基づいて移動する量が加算される多段伸縮式床束装置となるのである。
【００１３】
【発明の効果】
この発明の床束装置は束の下部に露出したねじ接続部がないので、水の侵入が無く、湿気によるねじ部の腐食の可能性が少なく耐久性に優れている。また、通常のターンバックル胴を使用した束に比べて、比較的束の上部、つまり床に近い方で調整環の操作ができるので作業性がよい。また、伸縮ロッドの伸縮量は伸縮円筒の伸縮量に加算され、多段式伸縮機構を構成しているので、従来の束の伸縮量に比べて伸縮調整量を飛躍的に大きくとれるので、床の高さが異なっていも、調整長さの異なる複数の束を用意する必要がない。
【００１４】
しかも、伸縮量の大きい多段式の伸縮機構であるにもかかわらず、伸縮筒の内面と外面にそれぞれねじを切って移動させたので、束の筒径も不必要に大きくならない。更に伸縮筒の内ねじと外ねじのピッチを変えて伸縮円筒の強度を持たせてあるので筒の壁厚が小さい割に強度が大きく、操作性、耐久性に富んだ床束装置を得ることができる等の優れた効果を有する。
【図面の簡単な説明】
【図１】この発明の床束装置の組み立て部分断面図である。
【図２】この発明の床束装置の固定筒の部分断面図である。
【図３】この発明の床束装置の伸縮円筒の部分断面図である。
【図４】この発明の床束装置の伸縮ロッドの外観図である。
【図５】この発明の床束装置の実施状況説明図である。
【図６】従来の鋼製床束装置の使用例である。
【符号の説明】
２０・・・固定円筒
２１・・・底板
３０・・・伸縮円筒
３１・・・調整環
４０・・・伸縮ロッド
４１・・・床受け部材
４２・・・雄ねじ
５１、５２・・・回転ロック部材
【図１】
2004076376.tif 000002
【図２】
2004076376.tif 000003
【図３】
2004076376.tif 000004
【図４】
2004076376.tif 000005
【図５】
2004076376.tif 000006
【図６】
2004076376.tif 000007